(57)【要約】【課題】関与の度合いが異なる様々な来訪者が訪れる場合にもその対応を容易にする。【解決手段】建物の玄関ドア１２には電気錠装置１４が設けられている。また、同玄関ドア１２の近傍には、ユーザＵが携帯する携帯機３１と無線通信可能な屋外通信装置２１が設けられるとともに、入力操作部２２ａ、表示部２２ｂ及び音声部２２ｃを備えてなるドア操作装置２２が設けられている。ドアコントローラ２３は、屋外通信装置２１やドア操作装置２２から送信される各種情報に基づいて電気錠装置１４の施解錠制御を実施する。また、ドアコントローラ２３は、玄関ドア１２の付近にいる相手が誰であるかを判定し、該判定した相手に応じてドア操作装置２２による異なる応答処理を実施する。【選択図】      図１
2008258727.tif 000002
【特許請求の範囲】
【請求項１】
建物に設けられた扉体又はその付近に設置される応答装置と、
前記扉体の付近にいる相手が誰であるかを判定する判定手段と、
前記判定手段により判定された相手に応じて前記応答装置による異なる応答処理を実施する応答制御手段と、
を備えることを特徴とする建物の扉応答システム。
【請求項２】
前記応答装置は音声による応答を行うものである請求項１に記載の建物の扉応答システム。
【請求項３】
前記扉体を通じての建物への出入りが許可されているユーザを登録ユーザとして判定するユーザ判定機能を有し、
前記判定手段は、扉体付近にいる相手が前記登録ユーザであるか否かを判定し、
前記応答制御手段は、前記判定手段により判定された相手が登録ユーザか否かに応じて異なる応答処理を実施する請求項１又は２に記載の建物の扉応答システム。
【請求項４】
前記応答制御手段は、前記判定手段により登録ユーザでないと判定された場合に相手が誰であるかの問い合わせを行い、登録ユーザであると判定された場合に相手が誰であるかの問い合わせを行わない請求項３に記載の建物の扉応答システム。
【請求項５】
前記登録ユーザにより携帯され同登録ユーザの個人識別情報を記憶した携帯型通信装置との間で情報通信が行われる建物の扉応答システムであって、
前記判定手段は、前記携帯型通信装置から送信される個人識別情報に基づいて扉体付近にいる相手が誰であるかを判定する請求項３又は４のいずれかに記載の建物の扉応答システム。
【請求項６】
前記携帯型通信装置を所持する登録ユーザの身体に関する身体情報を記憶する記憶手段を備え、
前記応答制御手段は、前記携帯型通信装置から受信した前記個人識別情報と、前記記憶手段に記憶されている身体情報とに応じて応答処理を変更する請求項５に記載の建物の扉応答システム。
【請求項７】
前記携帯型通信装置を所持する登録ユーザの嗜好に関する嗜好情報を記憶する記憶手段を備え、
前記応答制御手段は、前記携帯型通信装置から受信した前記個人識別情報と、前記記憶手段に記憶されている嗜好情報とに応じて応答処理を変更する請求項５又は６に記載の建物の扉応答システム。
【請求項８】
前記扉体にその開閉を規制する施錠装置を設けた建物に適用され、
前記判定手段により相手が前記登録ユーザであると判定された場合に前記施錠装置を解錠させる施解錠制御手段を更に備える請求項３乃至７のいずれかに記載の建物の扉応答システム。
【請求項９】
前記扉体を通じての建物への出入りが許可されていないが登録対象になっている登録ビジタを判定するビジタ判定機能を有し、
前記判定手段は、扉体付近にいる相手が前記登録ビジタであるか否かを判定し、
前記応答制御手段は、前記判定手段により判定された相手が登録ビジタか否かに応じて異なる応答処理を実施する請求項１乃至８のいずれかに記載の建物の扉応答システム。
【請求項１０】
複数の登録ビジタを登録するビジタ登録手段を備え、
前記応答制御手段は、前記複数の登録ビジタごとに応答内容をあらかじめ定めておき、相手がどの登録ビジタであるかに応じて応答内容を選択して応答処理を実施する請求項９に記載の建物の扉応答システム。
【請求項１１】
相手側が発した音声を認識する音声認識手段を備え、
前記判定手段は、前記音声認識手段により認識した音声中に含まれるワードに基づいて相手がどの登録ビジタであるかを判定する請求項９又は１０に記載の建物の扉応答システム。
【請求項１２】
ユーザの入力操作により設定される音声メッセージを登録するメッセージ登録手段を備え、
前記応答制御手段は、前記メッセージ登録手段により登録された音声メッセージにより応答を行う請求項１乃至１１のいずれかに記載の建物の扉応答システム。
【請求項１３】
前記判定手段は、前記扉体の側面又は柄部に相手が触れたことをトリガとして相手が誰であるかの判定を実施する請求項１乃至１２のいずれかに記載の建物の扉応答システム。
【請求項１４】
前記扉体の付近にいる相手を撮影する撮影装置を備え、
前記判定手段は、前記撮影装置により撮影した相手画像に基づいて相手が誰であるかを判定する請求項１乃至１３のいずれかに記載の建物の扉応答システム。
【請求項１５】
前記扉体の付近にいる相手の生体情報を取得する生体情報取得手段を備え、
前記判定手段は、前記生体情報取得手段により取得した生体情報に基づいて相手が誰であるかを判定する請求項１乃至１４のいずれかに記載の建物の扉応答システム。
【請求項１６】
来訪者が持ち込む物品には電子タグが設けられており、同電子タグから発信される物品識別情報を受信可能とした建物の扉応答システムであって、
前記判定手段は、前記電子タグから発信される物品識別情報に基づいて相手が誰であるかを判定する請求項１乃至１５のいずれかに記載の建物の扉応答システム。
【請求項１７】
前記応答制御手段は、建物内に、応答できる人がいるかいないかに応じて前記応答装置による応答処理を変更する請求項１乃至１５のいずれかに記載の建物の扉応答システム。
【請求項１８】
前記応答制御手段は、来訪者があった時の時刻又は曜日に応じて前記応答装置による応答処理を変更する請求項１乃至１７のいずれかに記載の建物の扉応答システム。
【請求項１９】
前記判定手段により判定した結果を建物内に通知する請求項１乃至１８のいずれかに記載の建物の扉応答システム。
【発明の詳細な説明】
【技術分野】
【０００１】
本発明は、建物の扉応答システムに関するものである。
【背景技術】
【０００２】
住宅等の建物では、例えば玄関にテレビドアホン装置が設けられており、来訪者がある場合には、ドアホン屋外器に設けられたカメラにより来訪者が撮影され、その撮影画像がドアホン屋内器の表示パネルに表示される。これにより、来訪者の存在が分かるとともに、来訪者が誰であるかが分かるようになっている（例えば、特許文献１参照）。こうしてテレビドアホン装置が設けられている場合、来訪者がドアホン屋外器にて来訪を告げると、建物内の住人等がドアホン屋内器にて応答する。
【特許文献１】特開２００５−２８６５３９号公報
【発明の開示】
【発明が解決しようとする課題】
【０００３】
ここで、建物への来訪者は様々であり、住人等にとっても関与の度合いが様々である。かかる場合、毎回対応しなければならない相手もあれば、毎回対応しなくてもよい相手もある。しかしながら、既存のテレビドアホン装置では、来訪者がある都度、その相手にかかわらず急いで応答に出向かなければならない。そのため、来訪者への対応が煩わしいものとなっており、改善の余地があると考えられる。
【０００４】
本発明は、関与の度合いが異なる様々な来訪者が訪れる場合にもその対応を容易にすることができる建物の扉応答システムを提供することを主たる目的とするものである。
【課題を解決するための手段】
【０００５】
以下、上記課題を解決するのに有効な手段等につき、必要に応じて作用、効果等を示しつつ説明する。なお以下では、理解を容易にするため、発明の実施形態において対応する構成例を括弧書き等で適宜示すが、この括弧書き等で示した具体的構成に限定されるものではない。
【０００６】
第１の発明は、建物に設けられた扉体（玄関ドア１２）又はその付近に設置される応答装置（ドア操作装置２２）と、前記扉体の付近にいる相手が誰であるかを判定する判定手段（ドアコントローラ２３）と、前記判定手段により判定された相手に応じて前記応答装置による異なる応答処理を実施する応答制御手段（ドアコントローラ２３）とを備えることを特徴とする。
【０００７】
上記構成によれば、扉体付近に来訪者が近づいた場合、その来訪者（相手）が誰であるかが判定され、その来訪者（相手）に応じて異なる応答処理が適宜実施される。したがって、例えば建物内にいる人が毎回対応に出向かなくても、本応答システムによって来訪者に対して適宜望ましい対応が行われる。その結果、関与の度合いが異なる様々な来訪者が訪れる場合にもその対応が容易となる。
【０００８】
なお本明細書において、「扉体」は建物や部屋等の出入り口に設けられるものであり、その扉体には回動式ドアやスライド式の引き戸が含まれる。
【０００９】
ここで、応答装置の応答は、音声によるものや画像表示によるものが適用できる。ただし、第２の発明のように、前記応答装置は音声による応答を行うものであることが望ましい。音声応答を行う構成であれば、来訪者が応答装置を見たりしなくても建物側からの応答を知ることができ、来訪者側に応答内容を好適に伝えることができる。また、画像表示による応答を行うものでは、使い勝手向上のためには画像表示を行う表示パネルを大型化したりすることが強いられ、構成の煩雑化やコスト上昇等の問題が生じ得るが、音声応答を行うものでは、音量調整を行うなど比較的簡易な調整で使い勝手のよいものが実現できる。
【００１０】
第３の発明では、前記扉体を通じての建物への出入りが許可されているユーザを登録ユーザとして判定するユーザ判定機能を有している。そして、前記判定手段は、扉体付近にいる相手が前記登録ユーザであるか否かを判定し、前記応答制御手段は、前記判定手段により判定された相手が登録ユーザか否かに応じて異なる応答処理を実施する。
【００１１】
具体的には、第４の発明のように、前記応答制御手段は、前記判定手段により登録ユーザでないと判定された場合に相手が誰であるかの問い合わせを行い、登録ユーザであると判定された場合に相手が誰であるかの問い合わせを行わないとよい。例えば、来訪者（相手）が登録ユーザでない場合に、『どなたですか？』『何のご用ですか？』といったメッセージを音声や画像によって来訪者（相手）に通知するとよい。また、来訪者（相手）からの返答がある場合にその返答を建物内に通知するとよい。これにより、相手が登録ユーザでなく、誰であるのかを特定できない場合にも、好適な対応が可能となる。
【００１２】
登録ユーザに対しては、相手が誰であるかを問い合わせる必要がなく、無応答にしたり、相手が誰であるかの問い合わせに代えて『おかえりなさい』といった応答を返したりするとよい。
【００１３】
なお、「扉体を通じての建物への出入りが許可されているユーザ」とは、住宅にあってはその住人（家族の各人）であり、要は建物への自由な出入りが可能とされたユーザを意味する。
【００１４】
第５の発明では、前記登録ユーザにより携帯され同登録ユーザの個人識別情報（ＩＤ情報）を記憶した携帯型通信装置（携帯機３１）との間で情報通信が行われる建物の扉応答システムにおいて、前記判定手段は、前記携帯型通信装置から送信される個人識別情報に基づいて扉体付近にいる相手が誰であるかを判定する。この場合、登録ユーザの特別な処理を要することなく、該登録ユーザの判定が迅速に行われる。したがって、登録ユーザにとって利便性の高いものとなる。
【００１５】
なおここで、建物側に設けた通信装置（屋外通信装置２１）は、扉体近傍エリアを送信エリアとしてリクエスト信号を送信し、携帯型通信装置は、建物側の通信装置からのリクエスト信号に応答して個人識別情報を返信するものであるとよい。
【００１６】
第６の発明では、前記携帯型通信装置を所持する登録ユーザの身体に関する身体情報を記憶する記憶手段（携帯機３１のメモリ３２）を備えている。そして、前記応答制御手段は、前記携帯型通信装置から受信した前記個人識別情報と、前記記憶手段に記憶されている身体情報とに応じて応答処理を変更する。例えば、登録ユーザが聴覚能力の低いユーザである場合には、音声による応答メッセージの音量を大きくする。これにより、登録ユーザの各々にとって使い勝手の良い扉応答制御が実現できる。
【００１７】
第７の発明では、前記携帯型通信装置を所持する登録ユーザの嗜好に関する嗜好情報を記憶する記憶手段（携帯機３１のメモリ３２）を備えている。そして、前記応答制御手段は、前記携帯型通信装置から受信した前記個人識別情報と、前記記憶手段に記憶されている嗜好情報とに応じて応答処理を変更する。例えば、登録ユーザが特定のミュージシャンを好んでいる場合には、その好みのミュージシャンの楽曲が嗜好情報として記憶されており、その楽曲と共に音声メッセージを出力する。これにより、各登録ユーザの好みにあった扉応答制御が実現できる。
【００１８】
なお、第６，第７の発明では、携帯型通信装置に一体に設けられる記憶媒体を記憶手段として用いるとよい。
【００１９】
第８の発明における建物では、前記扉体にその開閉を規制する施錠装置（電気錠装置１４）が設けられている。そして、前記判定手段により相手が登録ユーザであると判定された場合に前記施錠装置を解錠させる施解錠制御手段（ドアコントローラ２３）を備えている。この場合、登録ユーザにとっては、施錠装置が自動で解錠されることで扉体を通じて建物内に入る際の利便性が向上する。また、登録ユーザでないと判定された場合には、施錠装置を施錠状態で保持させることで、防犯上望ましい構成が実現できる。
【００２０】
第９の発明では、前記扉体を通じての建物への出入りが許可されていないが登録対象になっている登録ビジタを判定するビジタ判定機能を有している。そして、前記判定手段は、扉体付近にいる相手が前記登録ビジタであるか否かを判定し、前記応答制御手段は、前記判定手段により判定された相手が登録ビジタか否かに応じて異なる応答処理を実施する。登録ビジタは、例えば新聞等の集金者や、荷物宅配業者、近所の住人などであり、住宅（本建物）の住人等にとってはあらかじめ想定された来訪者である。例えばホテルの宿泊施設においては、部屋内を清掃したりする部屋係の人が登録ビジタに相当する。本発明では、こうしたあらかじめ想定された来訪者が来た場合において好適なる対応が可能となる。
【００２１】
第１０の発明では、複数の登録ビジタを登録するビジタ登録手段（ドアコントローラ２３）を備え、前記応答制御手段は、前記複数の登録ビジタごとに応答内容をあらかじめ定めておき、相手がどの登録ビジタであるかに応じて応答内容を選択して応答処理を実施する。これにより、登録ビジタ側にとっても自身が認識されたことが分かり、扉応答システム側と登録ビジタとの間で好適なるやりとりが可能となる。例えば、登録ビジタが荷物宅配業者である場合、『午後３時に戻りますので再度来てください』等の応答メッセージを返すとよい。
【００２２】
登録ビジタであるかどうかの判定は、第１１の発明のように行われるとよい。すなわち、相手側が発した音声を認識する音声認識手段（ドアコントローラ２３）を備え、前記判定手段は、前記音声認識手段により認識した音声中に含まれるワードに基づいて相手がどの登録ビジタであるかを判定する。例えば、相手側が発した音声中に『集金』のワードが含まれたら新聞等の集金者であると判定し、『荷物』『宅配』等のワードが含まれたら荷物宅配業者であると判定する。
【００２３】
なお、音声ワードに基づいて登録ビジタであるかどうかを判定する以外に、登録ビジタにより操作入力されるパスワード等により登録ビジタであるかどうかを判定することも可能である。
【００２４】
第１２の発明では、ユーザの入力操作により設定される音声メッセージを登録するメッセージ登録手段（ドアコントローラ２３）を備え、前記応答制御手段は、前記メッセージ登録手段により登録された音声メッセージにより応答を行う。これにより、来訪者（相手）に対して、ユーザの望み通りに応答を返すことができる。
【００２５】
第１３の発明では、前記判定手段は、前記扉体の側面又は柄部（柄部１３）に相手が触れたことをトリガとして相手が誰であるかの判定を実施する。これにより、来訪者がある場合にのみ所定の判定処理や応答処理を実施することができる。また、例えば不審者が扉体を不正に開放して建物内に侵入しようとする場合には、その相手の判定と応答とが直ちに行われる。したがって、不審者に対する威嚇処理にもなり、防犯効果も期待できる。
【００２６】
その他、扉体付近にいる相手を判定するための手法として以下が考えられる。
【００２７】
・第１４の発明では、前記扉体の付近にいる相手を撮影する撮影装置（カメラ１７）を備え、前記判定手段は、前記撮影装置により撮影した相手画像に基づいて相手が誰であるかを判定する。
【００２８】
・第１５の発明では、前記扉体の付近にいる相手の生体情報を取得する生体情報取得手段（生体情報取得装置４１）を備え、前記判定手段は、前記生体情報取得手段により取得した生体情報に基づいて相手が誰であるかを判定する。生体情報としては、身長、指紋、網膜、虹彩パターン、血管の静脈パターン、音声（声紋）のいずれかが取得されるとよい。
【００２９】
・第１６の発明では、来訪者が持ち込む物品には電子タグ（電子タグ４３）が設けられており、同電子タグから発信される物品識別情報を受信可能とした建物の扉応答システムであって、前記判定手段は、前記電子タグから発信される物品識別情報に基づいて相手が誰であるかを判定する。
【００３０】
ここで、撮影装置による撮影画像（相手画像）と携帯型通信装置から受信した個人識別情報とを双方用いて、相手が「登録ユーザ」であることを判定してもよい（第１４の発明＆第５の発明の組み合わせ）。又は、生体情報取得手段により取得した生体情報と携帯型通信装置から受信した個人識別情報とを双方用いて、相手が「登録ユーザ」であることを判定してもよい（第１５の発明＆第５の発明の組み合わせ）。さらに、電子タグから発信される物品識別情報と携帯型通信装置から受信した個人識別情報とを双方用いて、相手が「登録ユーザ」であることを判定してもよい（第１６の発明＆第５の発明の組み合わせ）。いずれにしても、登録ユーザの判定において信頼性の向上を図ることができる。
【００３１】
また、撮影装置による撮影画像（相手画像）と相手側が発した音声中のワードとを双方用いて、相手が「登録ビジタ」であることを判定してもよい（第１４の発明＆第１１の発明の組み合わせ）。又は、生体情報取得手段により取得した生体情報と相手側が発した音声中のワードとを双方用いて、相手が「登録ビジタ」であることを判定してもよい（第１５の発明＆第１１の発明の組み合わせ）。さらに、電子タグから発信される物品識別情報と相手側が発した音声中のワードとを双方用いて、相手が「登録ビジタ」であることを判定してもよい（第１６の発明＆第１１の発明の組み合わせ）。いずれにしても、登録ビジタの判定において信頼性の向上を図ることができる。
【００３２】
第１４〜第１６の発明を任意に組み合わせ、その組み合わせの処理により登録ユーザ又は登録ビジタの判定を実施することも可能である。
【００３３】
第１７の発明のように、前記応答制御手段は、建物内に、応答できる人がいるかいないかに応じて前記応答装置による応答処理を変更するとよい。例えば、建物内に現実に対応できる人がいる場合には、『しばらくお待ち下さい』といった音声メッセージを出力し、対応できる人がいない場合には（子供のみがいる場合も該当）、『あらためてお越し下さい』『留守にしています』といった音声メッセージを出力する。
【００３４】
また、第１８の発明のように、前記応答制御手段は、来訪者があった時の時刻又は曜日に応じて前記応答装置による応答処理を変更するとよい。例えば、来訪者のあった時刻が夜中である場合には、『もう寝ています、明日また来てください』といった音声メッセージを出力する。
【００３５】
第１９の発明では、前記判定手段により判定した結果を建物内に通知する。これにより、建物内にいる人が、来訪者が誰であるかを容易に知ることができる。
【発明を実施するための最良の形態】
【００３６】
以下、本発明を具体化した一実施形態を図面に基づいて説明する。本実施形態では、玄関ドアの施解錠制御等を実施する玄関ドア制御システムに本発明を具体化しており、同システムの構成を図１の概略図に示す。
【００３７】
図１に示すように、建物（住宅）の玄関１１には玄関ドア１２が設けられ、玄関ドア１２の屋外側面には柄部１３が取り付けられている。また、玄関ドア１２には、電気錠装置１４が設けられている。電気錠装置１４は何ら新規の構成ではないため簡単に説明すれば、同電気錠装置１４はロックバーと電気的なアクチュエータ（共に図示略）を備えており、アクチュエータの駆動によりロックバーが出没し、玄関ドア１２が施錠又は解錠のいずれかの状態となるよう構成されている。すなわち、ロックバーが突出状態になることで玄関ドア１２が施錠状態となり、同ロックバーが突出状態から没入状態に移行することで玄関ドア１２が解錠状態となる。
【００３８】
本システムでは、住人等（図中のユーザＵ）が携帯する携帯機３１との無線通信により電気錠装置１４の施解錠が自動制御されるものとなっており、当該制御のための構成として、屋外通信装置２１とドア操作装置２２とドアコントローラ２３とが設けられている。屋外通信装置２１は玄関ドア１２の近傍（又は玄関ドア１２の側面でも可）に設けられ、玄関ドア近傍の所定エリアが通信エリアとなっている。また、ドア操作装置２２も屋外通信装置２１と同様に玄関ドア１２の近傍（又は玄関ドア１２の側面でも可）に設けられている。ドア装置装置２２は、住人等により入力操作される入力操作部２２ａと、液晶パネル等からなる表示部２２ｂと、スピーカ及びマイク等からなる音声部２２ｃとを備える。なお、ドア操作装置２２に一体に屋外通信装置２１が設けられる構成であってもよい。
【００３９】
ドアコントローラ２３は、ＣＰＵやメモリ等を有するマイクロコンピュータを備えるものであり、このドアコントローラ２３に屋外通信装置２１及びドア操作装置２２が電気的に接続されている。ドアコントローラ２３に対しては、携帯機３１からの受信情報が屋外通信装置２１を通じて送信されるとともに、住人等がドア操作装置２２への入力操作を行った場合においてその入力情報が逐次送信される。ドアコントローラ２３は、屋外通信装置２１やドア操作装置２２から送信される各種情報に基づいて電気錠装置１４を解錠又は施錠するかを判定し、解錠する場合には電気錠装置１４に対して解錠信号を出力し、施錠する場合には電気錠装置１４に対して施錠信号を出力する。
【００４０】
また、玄関ドア１２の柄部１３には、誰かが柄部１３に触れたことを検出するタッチセンサ１５が設けられており、そのタッチセンサ１５の検出信号がドアコントローラ２３に入力されるようになっている。さらに、玄関ドア１２付近には、その近傍エリアに存在する人を検出する人感センサ１６と、玄関ドア１２の屋外側所定エリアを対象に撮影を行うカメラ（撮影装置）１７とが設けられており、人感センサ１６の検出信号とカメラ１７の撮影画像もドアコントローラ２３に入力されるようになっている。
【００４１】
携帯機３１は小型携帯装置よりなり、携帯しても邪魔になりにくくかつ常備しやすいものとなっている。例えば、携帯機本体にリストバンドを取り付けた構成のブレスレット式携帯機や、同携帯機本体にネックチェーンを取り付けた構成のペンダント式携帯機、同携帯機本体にバネフックやバッジピンを取り付けた構成のバッジ式携帯機などとして具現化することが考えられる。また、スマートキーシステムで使用される電子キーを携帯機３１として用いたり、日常的に使用される携帯電話を携帯機３１として用いたり、通信機能を有するＩＣカードを携帯機３１として用いたりすることも可能である。
【００４２】
携帯機３１は、記憶部としてのメモリ３２を有しており、そのメモリ３２には、所有者（ユーザＵ等）ごとに固有のＩＤ情報（個人識別情報）と各所有者の身体に関するユーザ特有情報とが記憶されている。ＩＤ情報は、少なくとも本制御システムで認証されるユーザであってかつ認証対象とされる複数のユーザ（例えば同居する家族）が個別に識別可能となる情報となっている。また、ユーザ特有情報（ここでは特に身体情報）には、例えば年齢、性別、身長、視覚能力、聴覚能力などの情報が含まれる。
【００４３】
ここで、屋外通信装置２１は、リクエスト信号を常時又は所定の時間周期で送信するのに対し、携帯機３１は、屋外通信装置２１との通信可能エリアに進入してリクエスト信号を受信すると、そのリクエスト信号に応答してＩＤ情報とユーザ特有情報とを屋外通信装置２１に送信する。そして、ＩＤ情報がドアコントローラ２３に送信された後、ドアコントローラ２３は、ＩＤ情報による認証を行うとともに、電気錠装置１４に対して解錠信号又は施錠信号を出力する。このとき、携帯機３１から受信したＩＤ情報が正規ユーザに該当するものであれば電気錠装置１４が自動で解錠される。これに対し、同ＩＤ情報が正規ユーザに該当しないものであれば電気錠装置１４の解錠が行われない。
【００４４】
また本実施形態では特に、ドアコントローラ２３が、玄関ドア１２の付近にいる相手が誰であるかを判定するとともに、都度判定した相手に応じて、音声による異なる応答処理を実施することとしており、以下その詳細を説明する。
【００４５】
すなわち、ドアコントローラ２３は、
（１）ユーザ判定機能
（２）ビジタ判定機能
（３）音声応答機能
を有している。
【００４６】
上記（１）のユーザ判定機能は、玄関ドア前（玄関ドア屋外側近傍）にいる相手が、建物への自由な出入りが許可されている登録ユーザであるか否かを判定する機能である。具体的には、ドアコントローラ２３は、携帯機３１から送信されてくるＩＤ情報に基づいて、登録ユーザか否かの判定を実施する。又は、ドアコントローラ２３において、カメラ１７によって撮影された撮影画像（相手画像）を画像解析し、その画像解析の結果と携帯機３１から送信されてくるＩＤ情報とを双方用いて、相手が登録ユーザか否かを判定することも可能である。例えば、撮影画像を用いた判定手法として、撮影画像の画像解析結果から想定される相手の体型（身長等）と、あらかじめ登録されているユーザ体型情報とを比較し、ユーザ判定することが考えられる。
【００４７】
上記（２）のビジタ判定機能は、玄関ドア前にいる相手が、建物への自由な出入りは許可されていないが登録対象にはなっている登録ビジタであるか否かを判定する機能である。具体的には、相手側が発した音声をドア操作装置２２の音声部２２ｃを通じてドアコントローラ２３に入力するとともに、ドアコントローラ２３が、前記入力した音声に対して音声認識処理を行い当該音声中に含まれるワードに基づいて相手がどの登録ビジタであるかを判定する。
【００４８】
例えば、登録ビジタとして新聞料金の集金者を登録しておく場合には、その集金者に関するワードとして『新聞料金』『集金』等のワードを記憶しておく。そして、相手側が発した音声中に『新聞料金』『集金』のワードが含まれたら新聞料金の集金者であると判定する。また、登録ビジタとして荷物宅配業者を登録しておく場合には、その宅配業者に関するワードとして『荷物』『宅配』等のワードを記憶しておく。そして、相手側が発した音声中に『荷物』『宅配』のワードが含まれたら荷物宅配業者であると判定する。
【００４９】
なお、相手側が発した音声中に、事前に記憶したワードがいずれも含まれていない場合には、登録ビジタでないと判定する。
【００５０】
又は、ドアコントローラ２３において、カメラ１７によって撮影された撮影画像（相手画像）を画像解析し、その画像解析の結果と相手側が発した音声中のワードとを双方用いて、相手が登録ビジタか否かを判定することも可能である。
【００５１】
上記（３）の音声応答機能は、玄関ドア前にいる相手が登録ユーザか、登録ビジタか、それ以外の非登録者かに応じて各々異なる応答処理を行うものである。次に、登録ユーザ用の応答処理と、登録ビジタ用の応答処理と、非登録者用の応答処理とを説明する。
【００５２】
（３−１）登録ユーザ用の応答処理
玄関ドア前にいる相手が登録ユーザである場合、ドアコントローラ２３は、『○○さん、おかえりなさい』等の音声メッセージをドア操作装置２２の音声部２２ｃから出力させる。また、携帯機３１からのＩＤ情報が受信される際には、ＩＤ情報に加えて登録ユーザのユーザ特有情報（身体情報）が受信される。そこで、ユーザ特有情報（身体情報）に含まれる年齢や身長情報に基づいて音声メッセージを変更することも可能である。例えば、相手が聴覚能力の低いユーザ（高齢者等）である場合には、音声メッセージの音量を大きくする。また、相手が仕事から帰宅した父親である場合には、『パパ、おかえりなさい』等の音声メッセージを子供の声にして出力させる。なお、登録ユーザであると判定された場合には無条件で玄関ドア１２を通過してよいため、無応答としてもよい。もちろん、『どなたですか？』といった問い合わせは行わない。
【００５３】
（３−２）登録ビジタ用の応答処理
玄関ドア前にいる相手が登録ビジタである場合、ドアコントローラ２３は、複数の登録ビジタごとにあらかじめ定められた音声メッセージをドア操作装置２２の音声部２２ｃから出力させる。すなわち、ドアコントローラ２３に、複数の登録ビジタを記憶しておくとともに、複数の登録ビジタごとに応答メッセージを定めて記憶しておく。そして、相手がどの登録ビジタであるかに応じて応答内容を選択して応答処理を実施する。
【００５４】
登録ビジタは、例えば新聞等の集金者や、荷物宅配業者、近所の住人などであり、住宅（本建物）の住人等にとってはあらかじめ想定された来訪者である。例えば、新聞等の集金者や、荷物宅配業者の場合には、『ご苦労様です、しばらくお待ち下さい』『午後３時に再度来てください』等の音声メッセージを出力させる。近所の住人の場合には、『こんにちは、お寒いですね』等の音声メッセージを出力させる。
【００５５】
（３−３）非登録者用の応答処理
玄関ドア前にいる相手が非登録者である場合、ドアコントローラ２３は、『どなたですか？』『何のご用ですか？』といった音声メッセージをドア操作装置２２の音声部２２ｃから出力させる。また、不審者の警戒のために、犬の吠え声を音声部２２ｃから出力させてもよい。
【００５６】
上記（３−１）〜（３−３）の各応答処理において、各々の音声メッセージをユーザの入力操作により可変に設定することも可能である。すなわち、ドアコントローラ２３に、ユーザの入力操作により任意の音声メッセージを登録し、その登録された音声メッセージにより応答を行うこととする。これにより、来訪者（相手）に対して、ユーザの望み通りに応答を返すことができる。
【００５７】
玄関ドア１２の付近にいる相手が誰であるか判定した結果を建物内に通知する構成であってもよい。例えば、ドアコントローラ２３が、建物内の音声装置（ドアホン屋外器等）を操作して音声出力させる。これにより、建物内にいる人が、来訪者が誰であるかを容易に知ることができる。
【００５８】
次に、ドアコントローラ２３により実行される玄関ドア応答制御の処理手順を図２にフローチャートにより説明する。
【００５９】
図２において、まずステップＳ１１では、玄関ドア前に誰かがいるか否か、すなわち来訪者があるか否かを判定する。この判定は、玄関ドア１２の柄部１３に設けられたタッチセンサ１５の検出信号に基づいて行われ、誰かが柄部１３に触れている旨検出された場合に来訪者有りと判定される。又は、玄関ドア１２付近に設けられた人感センサ１６の検出信号に基づいて行われる。来訪者がある場合、後続のステップＳ１２に進み、来訪者がいない場合、そのまま本処理を終了する。
【００６０】
ステップＳ１２では、携帯機３１からＩＤ情報を受信しているか否かを判定する。ＩＤ情報を受信している場合にはステップＳ１３に進んで、ＩＤ情報に基づくユーザ判定処理を行い、続くステップＳ１４では、今回ＩＤ情報を受信した相手が登録ユーザであるか否かを判定する。そして、登録ユーザであると判定された場合にステップＳ１５に進む。ステップＳ１５では、登録ユーザ用の応答処理を実行する（上記（３−１）を参照）。なお、ステップＳ１４がＮＯの場合にそのまま本処理を終了することに代えて、ステップＳ１９に進む構成としてもよい。
【００６１】
また、来訪者有りと判定されたがＩＤ情報を受信していない場合（ステップＳ１１がＹＥＳ、ステップＳ１２がＮＯの場合）には、ステップＳ１６に進み、ビジタ判定処理を実施する。このビジタ判定処理は、前述したとおり来訪者が発した音声ワードに基づいて実施される。続くステップＳ１７では、来訪者が登録ビジタであるか否かを判定し、登録ビジタであればステップＳ１８に進む。ステップＳ１８では、登録ビジタ用の応答処理を実行する（上記（３−２）を参照）。
【００６２】
また、来訪者が登録ユーザでも登録ビジタでも無い場合、ステップＳ１９に進む。ステップＳ１９では、非登録者用の応答処理を実行する（上記（３−３）を参照）。
【００６３】
以上詳述した本実施形態によれば、以下の優れた効果が得られる。
【００６４】
玄関ドア１２付近にいる相手が誰であるかを判定し、その相手に応じて異なる応答処理を実施する構成としたため、建物内にいる人が毎回対応に出向かなくても、本制御システムによって来訪者に対して適宜望ましい対応が行われる。その結果、関与の度合いが異なる様々な来訪者が訪れる場合にもその対応が容易となる。
【００６５】
ドア操作装置２２は音声メッセージによる応答を行うため、来訪者がドア操作装置２２の表示部２２ｂを見たりしなくても建物側からの応答を知ることができ、来訪者側に応答内容を好適に伝えることができる。不審者に対しては、不意に音声応答を行うことで驚かせることができる。また、画像表示によってのみ応答を行うものでは、使い勝手向上のためには表示部２２ｂを大型化したりすることが強いられ、構成の煩雑化やコスト上昇等の問題が生じ得るが、音声応答を行うものでは、音量調整を行うなど比較的簡易な調整で使い勝手のよいものが実現できる。
【００６６】
玄関ドア付近にいる相手が登録ユーザであるか、登録ビジタであるか、非登録者であるかに応じて異なる応答処理を実施する構成としたため、相手に応じて都度好適な対応が可能となる。
【００６７】
また、登録ユーザ（建物の住人等）の判定は、携帯機３１から送信されるＩＤ情報に基づいて行われるため、登録ユーザに特別な処理が強いられることはなく、該登録ユーザの判定が迅速に行われる。したがって、登録ユーザにとって利便性の高いものとなる。
【００６８】
玄関ドア前にいる相手が登録ユーザである場合、携帯機３１からＩＤ情報と共に送信されてくる身体情報に応じて応答処理を変更する構成としたため、登録ユーザの各々にとって使い勝手の良い扉応答制御が実現できる。
【００６９】
相手が登録ユーザであると判定された場合に電気錠装置１４を自動で解錠させる構成としたため、登録ユーザにとっては、玄関ドア１２を通じて建物内に入る際の利便性が向上する。また、登録ユーザでないと判定された場合には、電気錠装置１４を施錠状態で保持させることで、防犯上望ましい構成が実現できる。
【００７０】
玄関ドア１２の柄部１３に相手が触れたことをトリガとして相手が誰であるかの判定を実施する構成としたため、来訪者がある場合にのみ所定の判定処理や応答処理を実施することができる。また、例えば不審者が玄関ドア１２を不正に開放して建物内に侵入しようとする場合には、その相手の判定と応答とが直ちに行われる。したがって、不審者に対する威嚇処理にもなり、防犯効果も期待できる。
【００７１】
本発明は上記実施形態の記載内容に限定されず、例えば次のように実施されても良い。
【００７２】
玄関ドア付近にいる相手を判定するための手法として以下が考えられる。すなわち、図３の（ａ）に示すように、玄関ドア１２付近（屋外側）に生体情報取得装置４１を設けておき、ドアコントローラ２３は、生体情報取得装置４１により取得した生体情報に基づいて相手が誰であるかを判定する。生体情報取得装置４１は、来訪者が身体の一部を接触させたりかざしたりすることで生体情報を取得するものであり、生体情報としては、身長、指紋、網膜、虹彩パターン、血管の静脈パターン、音声（声紋）のいずれかが取得されるとよい。
【００７３】
この場合、生体情報取得装置４１により取得した生体情報と携帯機３１から受信したＩＤ情報とを双方用いて、相手が登録ユーザであることを判定してもよい。また、生体情報取得装置４１により取得した生体情報と相手側が発した音声中のワードとを双方用いて、相手が登録ビジタであることを判定してもよい。
【００７４】
また、図３の（ｂ）に示すように、来訪者が持ち込む物品４２に電子タグ４３（ＲＦＩＤ、無線タグ）が設けられている場合に、その電子タグ４３から発信される物品識別情報を屋外通信装置２１により受信し、ドアコントローラ２３は、電子タグ４３から発信される物品識別情報に基づいて相手が誰であるかを判定する。
【００７５】
この場合、電子タグ４３から発信される物品識別情報と携帯機３１から受信したＩＤ情報とを双方用いて、相手が登録ユーザであることを判定してもよい。また、電子タグ４３から発信される物品識別情報と相手側が発した音声中のワードとを双方用いて、相手が登録ビジタであることを判定してもよい。
【００７６】
その他、相手側が発した音声中のワード（事前に登録したワード）に基づいて登録ビジタであるかどうかを判定する構成に代えて、登録ビジタにより操作入力されるパスワード等により登録ビジタであるかどうかを判定することも可能である。カメラ１７により撮影した相手画像のみに基づいて相手が誰であるかを判定することも可能である。
【００７７】
携帯機３１のメモリ３２に登録ユーザの嗜好に関する嗜好情報を記憶しておく構成とし、ドアコントローラ２３は、携帯機３１からＩＤ情報と共に送信されてくる嗜好情報に応じて応答処理を変更するようにしてもよい。例えば、登録ユーザが特定のミュージシャンを好んでいる場合には、ドア操作装置２２によって、好みのミュージシャンの楽曲と共に音声メッセージを出力させる。これにより、各登録ユーザの好みにあった扉応答制御が実現できる。
【００７８】
登録ユーザの身体情報や嗜好情報を、携帯機３１のメモリ３２ではなく、ドアコントローラ２３のメモリに記憶する構成であってもよい。この場合、携帯機３１からドアコントローラ２３に対してはＩＤ情報のみが送信される。
【００７９】
携帯機３１のメモリ３２に、ユーザ特有情報として身体情報と嗜好情報とを共に記憶しておく構成にすることも可能であるし、同携帯機３１のメモリ３２に、ユーザ特有情報（身体情報や嗜好情報）を記憶せずに、ＩＤ情報のみを記憶しておく構成にすることも可能である。
【００８０】
ドアコントローラ２３は、建物内に、応答できる人がいるかいないかに応じて、換言すれば在宅者の有無に応じてドア操作装置２２による応答処理を変更するとよい。在宅判定は、携帯機３１から送信されてくる各ユーザのＩＤ情報に基づき行われる。例えば、建物内に現実に対応できる人がいる場合には、『しばらくお待ち下さい』といった音声メッセージを出力し、対応できる人がいない場合には（子供のみがいる場合も該当）、『あらためてお越し下さい』『留守にしています』といった音声メッセージを出力する。在宅者が全くいない場合と、子供（幼児等）のみが在宅している場合とを区別して応答処理を行うことも可能である。
【００８１】
また、ドアコントローラ２３は、来訪者があった時の時刻又は曜日に応じてドア操作装置２２による応答処理を変更するとよい。例えば、来訪者のあった時刻が夜中である場合には、『もう寝ています、明日また来てください』といった音声メッセージを出力する。
【００８２】
上記実施形態では、屋外通信装置２１がリクエスト信号を常時又は所定の時間周期で送信する構成としたが、これを変更し、来訪者（登録ユーザ、登録ビジタ含む）が玄関ドア１２の柄部１３を触る等したことを条件に、屋外通信装置２１がリクエスト信号を送信する構成としてもよい。
【００８３】
上記実施形態では、応答装置としてのドア操作装置２２が、音声による応答を行う構成としたが、これに代えて画像表示による応答を行う構成としてもよい。
【００８４】
玄関ドアを通過して人が建物の出入りを行う際、その通過履歴を記憶する構成としてもよい。この場合、登録ユーザ、登録ビジタ、非登録者に分けて、個々に通過時刻等が記憶されるとよい。
【００８５】
ＩＤ所有者（携帯機を携帯する正規ユーザ）が複数いる場合には、そのうち誰かを優先して音声メッセージを出力するとよい。その優先順位はあらかじめ定められていると良く、例えば、低年齢者（幼児等）や高齢者を優先して音声メッセージを出力する。登録ユーザ、登録ビジタ及び非登録者が共に存在している場合には、優先順位を、登録ユーザ（最優先者）＞登録ビジタ＞非登録者とするとよい。
【００８６】
上記実施形態では、住宅の玄関ドアに設けた扉応答システムについて説明したが、住宅以外の建物のドアや引き戸等にも適用できる。例えばホテルの宿泊施設においては、各部屋の入り口ドアに扉応答システムを設けるとよい。この場合、部屋内を清掃したりするホテル従業員（部屋係の人）が登録ビジタに相当する。ドアコントローラ側の応答例としては『部屋を掃除してください』『Don't Disturb』等の音声メッセージを出力することが考えられる。いずれにしても、本発明によればあらかじめ想定された来訪者が来た場合において好適なる対応が可能となる。
【００８７】
その他、非常時用の避難室を備える建物では、その避難室のドアに本発明の扉応答システムを設けてもよい。避難室は、不審者等の侵入時に住人が逃げ込む（避難する）するための部屋（空間）であり、ＩＤ所有者（携帯機を携帯する正規ユーザ）のみが避難室ドアを開放することができるようになっている。なお、こうした避難室では、住人等が逃げ込んだ後、非常スイッチの起動によりドアの閉鎖がパワーアシストされ、ドアが開放不可な状態で保持されるとよい。
【図面の簡単な説明】
【００８８】
【図１】玄関ドア制御システムの概要を示す図。
【図２】玄関ドア応答制御の処理手順を示すフローチャート。
【図３】ユーザ判定に関して別の構成例を説明するための図。
【符号の説明】
【００８９】
１１…玄関、１２…玄関ドア、１４…電気錠装置、１７…カメラ、２１…屋外通信装置、２２…ドア操作装置、２３…ドアコントローラ、３１…携帯機、３２…メモリ、４１…生体情報取得装置、４２…物品、４３…電子タグ。
【図１】
2008258727.tif 000003
【図２】
2008258727.tif 000004
【図３】
2008258727.tif 000005